(57)【要約】【課題】簡単な折り工程によって作成することができる包装容器を提供する。【解決手段】包装容器１は，方形の底面部11，底面部11の４辺のそれぞれに連続して底面部11から立ち上がる前後左右の壁面部12，13，14，15，後壁面部13の上端に連続して天面を覆う開閉面部17，前壁面部12の上端に連続し前壁面部12に対して直角に折り曲げられる開閉面部，開閉面部17の両側端のそれぞれに連続し，左右の側壁面部の内面に沿うステー面部18，19，およびステー面部18，19の内面に沿って設けられ，左右の側壁面部14，15との間に上記ステー面部18，19を挟んだ状態で，糊部ｎ２，ｎ３によって左右の側壁面部14，15と部分的に接着されるフラップ16Ａ，16Ｂを備える。開閉面部17を回動して開くと，ステー面部18，19の先端のストッパ片18ａ，19ａが糊部ｎ２，ｎ３に当接する。【選択図】図７
2015020757.tif 000002
【特許請求の範囲】
【請求項１】
方形の底面部，
底面部の４辺のそれぞれに連続して底面部から立ち上がる前後左右の壁面部，
後壁面部の上端に連続して上記底面部と上記前後左右の壁面部とによって囲まれる空間の天面を覆う開閉面部，
前壁面部の上端に連続して上記開閉面部の内面と接着される接着面部，または開閉面部の先端に連続して前壁面部の外面と接着される接着面部，
上記開閉面部の両側端のそれぞれに連続し，左右の側壁面部の内面に沿うステー面部，および
上記ステー面部の内面に沿い，上記左右の側壁面部との間に上記ステー面部を回動可能に挟んだ状態で接着部材によって上記左右の側壁面部と部分的に接着されるフラップ部材を備え，
上記開閉面部は，上記開閉面部上の折り目を軸にして回動自在であり，
上記開閉面部とともに回動する上記ステー面部の先端のストッパ片の回動軌跡上に，上記左右の側壁面部とフラップ部材との部分接着に用いられる上記接着部材が位置している，
包装容器。
【請求項２】
上記前壁面部の上端に連続する接着面部が，上記底面部と前後左右の壁面部とによって囲まれる空間の天面の一部を覆う天面部であり，
上記左右の側壁面部と部分接着される上記フラップ部材が，上記開閉面部の両側端に連続している，
請求項１に記載の包装容器。
【請求項３】
上記天面部に切取線が形成されており，切取線に沿って切取られる上記天面部の範囲が，上記開閉面部の内面に接着されている，
請求項２に記載の包装容器。
【請求項４】
上記開閉面部の先端に連続する接着面部が，上記前壁面部の外面に接着される先端片であり，
上記左右の側壁面部と部分接着される上記フラップ部材が，上記前壁面部および上記後壁面部の両側端に連続している，
請求項１に記載の包装容器。
【請求項５】
上記前壁面部に切取線が形成されており，切取線に沿って切取られる上記前壁面部の範囲が上記先端片の内面に接着されている，
請求項４に記載の包装容器。
【発明の詳細な説明】
【技術分野】
【０００１】
この発明は包装容器，たとえば個別包装された複数個の菓子類（チョコレート菓子，焼き菓子など）が収納される包装容器に関する。
【背景技術】
【０００２】
引用文献１に記載の包装箱は開閉される蓋板の両側にヒンジ板が設けられている。蓋板を回動するとこれに連動してヒンジ板も回動する。ヒンジ板のストッパ片が補助板の端部に係止しここで蓋板の動きがとまる。
【先行技術文献】
【特許文献】
【０００３】
【特許文献１】特開２００３−２６７３５５号公報
【０００４】
引用文献１において，ヒンジ板５は，上側板６と側板２ｃの間，および上側板６と側板２ｄの間に挟まれている。側板２ｃ（２ｄ），ヒンジ板５，上側板６をこの順番で内がわから重ね，さらにヒンジ板５がつながる蓋部３を最外面に位置させるには，図３に示されているように，箱体の前後の両がわの二方向から同時に折り工程を行う必要がある。蓋部３を最外面に位置させ，かつ蓋部３につながるヒンジ板５を最外面としない（上側板６と側板２ｃ，および上側板６と側板２ｄの間に挟む）ように折り工程を行うのは容易ではない。
【発明の開示】
【０００５】
この発明は，簡単な折り工程によって作成することができる，ハッチオープンタイプの包装容器を提供することを目的とする。
【０００６】
この発明による包装容器は，方形の底面部と，底面部の４辺のそれぞれに連続して底面部から立ち上がる前後左右の壁面部と，後壁面部の上端に連続して上記底面部と上記前後左右の壁面部とによって囲まれる空間の天面を覆う開閉面部と，前壁面部の上端に連続して上記開閉面部の内面と接着される接着面部，または開閉面部の先端に連続して前壁面部の外面と接着される接着面部と，上記開閉面部の両側端のそれぞれに連続し，左右の側壁面部の内面に沿うステー面部と，上記ステー面部の内面に沿い，上記左右の側壁面部との間に上記ステー面部を回動可能に挟んだ状態で接着部材によって上記左右の側壁面部と部分的に接着されるフラップ部材とを備え，上記開閉面部は，上記開閉面部上の折り目を軸にして回動自在であり，上記開閉面部とともに回動する上記ステー面部の先端のストッパ片の回動軌跡上に，上記左右の側壁面部とフラップ部材との部分接着に用いられる接着部材が位置していることを特徴とする。
【０００７】
方形の底面部の４辺のそれぞれに底面部から立ち上がる前後左右の壁面部が連続しており，４つの壁面部のうちの後壁面部の上端に開閉面部がさらに連続している。前壁面部の上端または開閉面部の先端にはさらに接着面部が連続している。前壁面部の上端に接着面部が連続している場合にはその接着面部に開閉面部の内面を接着することによって，両がわの側方が開口したスリーブを形成することができる（サック貼り）。開閉面部の先端に接着面部が連続している場合にはその接着面部を前壁面部の外面に接着することによって，両がわの側方が開口したスリーブを形成することができる（サック貼り）。収容物はスリーブの両がわの側方開口の一方または両方からスリーブ内に収容される（エンドロード）。
【０００８】
上記開閉面部は，上記開閉面部上の折り目を軸にして回動自在であり，上記折り目が開閉面部の回動の中心軸となる。上記開閉面部を回動させるときの軸となる上記折り目は上記開閉面部と上記後壁面部との境界であってもよいし，上記境界とは別に上記開閉面部上に形成してもよい。開閉面部を最初に開けるときに上述した接着面部の接着が解かれる（接着部分が剥がされるまたは接着範囲が切取られる）のは言うまでもない。いずれにしても開閉面部は後壁面部の上端に連続した状態を維持する。
【０００９】
回動する開閉面部の両側端のそれぞれに，左右の側壁面部の内面に沿うステー面部が連続している。開閉面部に連続しているので，開閉面部の回動に連動してステー面部も回動する。
【００１０】
ステー面部の内面に沿って，上記左右の側壁面部との間に上記ステー面部を挟んだ状態で，接着部材によって左右の側壁面部と部分的に接着されるフラップ部材が設けられている。すなわち，ステー面部は，その外面がわの左右の側壁面部と，内面がわのフラップ部材との間の隙間に位置しており，この隙間に沿って回動する。
【００１１】
この発明によると，両がわが開口した状態のスリーブの側方開口にフラップ部材を位置させ，次に開閉面部の両側端につながるステー面部を上記フラップ部材の外方に位置させ，最後に底面部につながる左右の側壁面部を上方に折り曲げてフラップ部材の外方に位置させ，ステー面部を回動可能にした状態で左右の側壁面部とフラップ部材とを部分的に接着部材によって接着することで，箱状の包装容器を組み立てることができる。複雑な折り工程は必要とされず，エンドロードカートナーを用いた自動製函に適している。
【００１２】
またこの発明によると，上記開閉面部とともに回動する上記ステー面部の先端のストッパ片の回動軌跡上に，上記左右の側壁面部とフラップ部材との部分接着に用いられる上記接着部材が位置しているから，開く方向に開閉面部を回動させると，ステー面部の先端のストッパ片が接着部材に当接し，そこで開閉面部の回動がとまる。開閉面部につながるステー面部の全体が外に飛び出してしまうことがない。
【００１３】
上記接着面部が上記前壁面部の上端に連続している場合，上記接着面部を上記底面部と前後左右の壁面部とによって囲まれる空間の天面の一部を覆う天面部とすることができる。この場合，上記左右の側壁面部と部分接着される上記フラップ部材は，上記天面部の両側端に連続して設けることができる。
【００１４】
接着面部が前壁面部の上端に連続している上記天面部である場合，上記天面部に切取線を形成しておき，切取線に沿って切取られる上記天面部の範囲を開閉面部の内面に接着しておくとよい。開閉部材を最初に開くときに，開閉部材の内面に接着した天面部の一部の範囲が切取られるから，包装容器の天面が大きく開口し，収容物を取り出しやすくすることができる。
【００１５】
上記接着面部が上記開閉面部の先端に連続している場合，上記接着面部を上記前壁面部の外面に接着される先端片とすることができる。この場合，上記左右の側壁面部と部分的に接着される上記フラップ部材は，上記前壁面部および後壁面部の両側端に連続して設けることができる。
【００１６】
接着面部が開閉面部の先端に連続する先端片である場合，上記前壁面部に切取線を形成しておき，切取線に沿って切取られる上記前壁面部の範囲を上記先端片の内面に接着しておくとよい。開閉部材を最初に開くときに，先端片の内面に接着した前壁面部の一部の範囲が切取られるから，包装容器の開口を前壁面部の一部にも形成することができ，斜め上方から収容物を取り出しやすくなる。
【図面の簡単な説明】
【００１７】
【図１】開閉面部を閉じた状態の第１実施例の包装容器の斜視図である。
【図２】開閉面部を開いた状態の第１実施例の包装容器の斜視図である。
【図３】第１実施例の包装容器の展開図である。
【図４】第１実施例の包装容器の組立て工程を示す。
【図５】第１実施例の包装容器の組立て工程を示す。
【図６】第１実施例の包装容器の組立て工程を示す。
【図７】第１実施例の包装容器の組立て工程を示す。
【図８】第１実施例の包装容器の右側面を示すもので，開閉面部が回動するときのステー面部の動きを示す。
【図９】開閉面部を閉じた状態の第２実施例の包装容器の斜視図である。
【図１０】開閉面部を開いた状態の第２実施例の包装容器の斜視図である。
【図１１】第２実施例の包装容器の展開図である。
【図１２】第２実施例の包装容器の組立て工程を示す。
【図１３】第２実施例の包装容器の組立て工程を示す。
【図１４】第２実施例の包装容器の組立て工程を示す。
【図１５】第２実施例の包装容器の組立て工程を示す。
【図１６】第２実施例の包装容器の右側面を示すもので，開閉面部が回動するときのステー面部の動きを示している。
【図１７】第３実施例の包装容器の展開図である。
【図１８】開閉面部を閉じた状態の第３実施例の包装容器の斜視図である。
【図１９】開閉面部を開いた状態の第３実施例の包装容器の斜視図である。
【実施例】
【００１８】
（第１実施例）
図１および図２は第１実施例の包装容器１の斜視図であり，図１は開閉面部17を閉じた状態の包装容器１を，図２は開閉面部17を開けた状態の包装容器１をそれぞれ示している。図３は包装容器１を形成するブランク（型紙）の展開図であり，包装容器１の内面となる面を見たものである。図４から図７は包装容器１の組立て工程を示している。包装容器１は図３に示す形状に切り取られた１枚の厚紙を折ることによりつくられる。厚紙に代えて，ボール紙，プラスチック・シート，これらの複合材を用いてもよい。図３の展開図において破線は谷折りされる折り線（折り目）を示している。折曲げを容易にするために破線に沿って折り線加工または折罫加工が施される。以下，図３〜図７を参照して，図１および図２に示す包装容器１の組立て工程を説明する。
【００１９】
図３を参照して，包装容器１は方形の底面部11を備える。底面部11の前，後（図３における下端，上端）に前壁面部12および後壁面部13が，底面部11の左右端に左右の側壁面部14，15が，それぞれ反対方向に連続してのびている。前壁面部12の左右端にはフラップ12Ａ，12Ｂが，後壁面部13の左右端にはフラップ13Ａ，13Ｂが，反対方向にそれぞれ連続してのびている。
【００２０】
前壁面部12の下端に天面部16が連続してのびており，天面部16の左右端にもフラップ16Ａ，16Ｂがそれぞれ反対方向に連続してのびている。天面部16の奥行き（図３における上下方向の長さ）は底面部11の奥行きに比べて短い。天面部16には，その上端に向かう方向に弧状（凸状）の切取線（間欠切込み）Ｋが形成されており，切取線Ｋによって，天面部16は，前壁面部12およびフラップ16Ａ，16Ｂに連続する残存天面部16ａと，後述するように切取線Ｋに沿って切り離される切取天面部16ｂとに区分けされる。天面部16の切取天面部16ｂの範囲に糊部ｎ１が設けられる。天面部16は，天面部16（その切取天面部16ｂ）と次に説明する開閉面部17とを接着して胴貼り（サック貼り）を実現するための接着面部として用いられる。
【００２１】
後壁面部13の上端に開閉面部17が連続してのびている。開閉面部17の奥行き（図３における上下方向の長さ）は底面部11の奥行きとほぼ等しい。開閉面部17の後壁面部13に近い左右端に小さいフラップ17Ａ，17Ｂが反対方向にそれぞれ連続してのびている。フラップ17Ａ，17Ｂのそれぞれの上方に隣接して，概略扇状のステー面部18，19が，開閉面部17の左右端に連続して反対方向にのびている。ステー面部18，19の外縁は外方に向かう弧を描き，その先端は外向きに突出している。詳細は後述するが，ステー面部18，19の先端部分18ａ，19ａが，上述した開閉面部17の開口範囲（回動角度）を規定するストッパの役割を果たす（以下，ストッパ片18ａ，19ａと呼ぶ）。
【００２２】
開閉面部17の左右のフラップ17Ａ，17Ｂとステー面部18，19との境界位置を結ぶように，開閉面部17には，開閉面部17と後壁面部13との境界の折り目と平行に横向きにのびるミシン目または折り目Ｍが形成されている（ミシン目または折り目Ｍを太い一点鎖線で示す）。後述するように，ミシン目Ｍを軸として開閉面部17の一部（開閉面部17の先端からミシン目Ｍまでの範囲）が回動し，これにより開閉面部17は開閉される。
【００２３】
開閉面部17の先端（上端）の近傍に，開閉面部17の閉鎖状態を簡易に保持するための係止片22を形成する弧状の切込みが入れられている。係止片22を形成する切込みと開閉面部17の先端縁との間には，開閉面部17を掴みやすくするための３本の折り目22ａが形成されている。３本の折り目22ａが形成されている範囲はわずかに外方に突出している。
【００２４】
図４を参照して，はじめに前壁面部12を底面部11との境界で折り畳む。図５を参照して，次に開閉面部17を後壁面部13との境界で折り畳む。天面部16の切取天面部16ｂに設けられた糊部ｎ１によって，切取天面部（外面）16ｂと開閉面部（内面）17とが接着される。開閉面部17の両端に連続するステー面部18，19の一部が，先に折り畳まれている天面部16（残存天面部16ａ）の左右端に連続するフラップ16Ａ，16Ｂの上に重なる。
【００２５】
図６を参照して，前壁面部12および後壁面部13を底面部11に対してほぼ直角に起立させて起函させる。両がわの側方が開口したスリーブが形付けられる。次に左右の側面のいずれか一方，たとえば右側面の組立てが行われる。前壁面部12の右端に連続するフラップ12Ｂと後壁面部13の右端に連続するフラップ13Ｂをほぼ直角に折り曲げる。図７を参照して，開閉面部17の下がわに位置する天面部16（残存天面部16ａ）の右端に連続するフラップ16Ｂと，開閉面部17の右端に連続するフラップ17Ｂおよびステー面部19を直角に折り曲げる。最後に，底面部11の右端に連続する右側壁面部15をほぼ直角に上方に向けて折り曲げ，右側壁面部15の内面の上方の両端部を，糊部ｎ３，ｎ５によってフラップ16Ｂ，17Ｂと接着する。右がわ側方が閉じられる。
【００２６】
開口している左がわ側方から収納物（図示略）が収納される（エンドロード）。先に閉じられた右側面が収納物のストッパの役割を果たす。収納物を入れた後，上述と同様にして左側面を組立てることで，収納物を収納した包装容器１が完成する（図１参照）。
【００２７】
包装容器１を組立てた状態において，上述したステー面部18，19は，その外面に左右側壁面部14，15が沿い，内面にフラップ13Ａ，16Ａ，13Ｂ，16Ｂが沿う（図７参照）。ステー面部18，19は糊付けされていないので，包装容器１の上下方向に回動自在である。
【００２８】
開閉面部17の先端を掴んで持ち上げると，開閉面部17はミシン目Ｍに沿って曲げられる。糊部ｎ１によって開閉面部17の内面に切取天面部16ｂが接着されているので，最初に開閉面部17を持ち上げるときに，切取線Ｋに沿って天面部16から切取天面部16ｂが切取られる。切取天面部16ｂは開閉面部17の内面に貼り付いたままである（図２参照）。天面部16から切取天面部16ｂが切取られることで，包装容器１は大きく開口し，収容物を取り出しやすくなる。
【００２９】
図８は包装容器１の右側面を右側壁面部15の一部を省略して示すもので，開閉面部17が回動するときのステー面部19の動きを示している。図８において，開閉面部17が開けられたときのステー面部19が実線によって，開閉面部17が閉じられたときのステー面部19が一点鎖線によって，それぞれ示されている。包装容器１は左右対称であるから，左側面に設けられるステー面部18が，右側面に設けられるステー面部19と同じ動きをするのは言うまでもない。
【００３０】
開閉面部17が閉じられているとき（一点鎖線，図１参照），開閉面部17につながるステー面部19は，右側壁面部15と，フラップ13Ｂ，16Ｂとによってその全体が両がわから挟まれた状態にある。開閉面部17が閉じられているときにステー面部19は外から見えない。
【００３１】
開閉面部17を持ち上げると（実線，図２参照），開閉面部17につながるステー面部19も開閉面部17とともに持ち上げられ，外に次第に露出する。ミシン目Ｍを軸にして開閉面部17およびステー面部19は回動する。
【００３２】
開閉面部17の回動を続けると，ステー面部19の先端のストッパ片19ａが右側壁面部15とフラップ16Ｂとの接着に用いられた糊部ｎ３の端部にぶつかり，ここでステー面部19の回動がとまる。開閉面部17の回動もとまる。
【００３３】
一旦開けた開閉面部17を再び閉じるときには，開閉面部17の先端の係止片22を残存天面部16ａの縁に下側から差込むことによって，開閉面部17の閉鎖状態が簡易に保持される（図２参照）。
【００３４】
上述したように，底面部11の左右端に連続して左右側壁面部14，15が形成されており，左右側壁面部14，15を最後に下がわ（底面がわ）から上方に向けて折ることで包装容器１は完成する。左右側壁面部14，15と，後壁面部13および残存天面部16ａの左右端に連続するフラップ13Ａ，13Ｂ，16Ａ，16Ｂによって，ステー面部18，19をその両がわから挟むことができる。包装容器１は，ブランクを上述した順番で折ることで形成することができ，複雑な折り工程を経ることなくステー面部18，19をその両側から挟むことができるから，自動製函機を用いた製函に適している。
【００３５】
また包装容器１では，上述したように，左右側壁面部14，15を接着するために用いられる糊部ｎ２，ｎ３が，ステー面部18，19の先端のストッパ片18ａ，19ａに当接して開閉面部17の回動範囲を規制し，かつステー面部18，19の全体が外に飛び出してしまうことを防止するためにも用いられる。ステー面部18，19の先端のストッパ片18ａ，19ａを当接させるための面部等を別途考慮する必要がない。さらに包装容器１は紙が二重に重ね合わされている範囲が少ないので材料を節約することもできる。
【００３６】
（第２実施例）
図９および図１０は第２実施例の包装容器２の斜視図であり，図９は開閉面部27を閉じた状態の包装容器２を，図１０は開閉面部27を開けた状態の包装容器２をそれぞれ示している。図１１は包装容器２を形成するブランクの展開図であり，包装容器２の内面となる面を見たものである。図１２から図１５は包装容器２の組立て工程を示している。
【００３７】
図１１を参照して，包装容器２は方形の底面部21を備える。底面部21の前，後（図１１における下端，上端）には前壁面部22および後壁面部23が，底面部21の左右端には左右の側壁面部24，25が，それぞれ反対方向に連続している。前壁面部22の左右端にはフラップ22Ａ，22Ｂが，後壁面部23の左右端にはフラップ23Ａ，23Ｂが反対方向にそれぞれ連続している。
【００３８】
前壁面部22にはその下端から上に向かってのびる弧状（凸状）の切取線Ｋが形成されており，切取線Ｋによって，前壁面部22は，底面部21およびフラップ22Ａ，22Ｂに連続する残存前壁面部22ａと，後述するように切取線Ｋに沿って切り取られる切取前壁面部22ｂとに区分けされる。切取前壁面部22ｂに糊部ｎ６が設けられる。
【００３９】
後壁面部23の上端に開閉面部27が連続し，開閉面部27の上端にさらに先端片30が連続している。先端片30は，糊部ｎ６によって前壁面部22（切取前壁面部22ｂ）と接着して胴貼り（サック貼り）を実現するための接着面部として用いられる。開閉面部27の左右端にステー面部28，29が反対方向にそれぞれ連続している。ステー面部28，29の先端には，外向きに突出するストッパ片28ａ，29ａが形成されている。また，ステー面部28，29の開閉面部27および後壁面部23に近い箇所には弧状の窪み部28ｂ，29ｂがそれぞれ形成されている。開閉面部27の上端につながる先端片30の上端には矩形のつまみ部30ａが外方に突出して形成されている。
【００４０】
図１２を参照して，はじめに前壁面部22を底面部21との境界で折り畳む。図１３を参照して，次に開閉面部27を後壁面部23との境界で折り畳む。前壁面部22の切取前壁面部22ｂに設けられた糊部ｎ６によって，前壁面部22の切取前壁面部（外面）22ｂと先端片30（内面）とが接着される。
【００４１】
図１４を参照して，前壁面部22および後壁面部23を底面部21に対してほぼ直角に起立させて起函させる。第１実施例と同様に，左右の側面のいずれか一方，たとえば右側面の組立てが行われる。前壁面部22（残存前壁面部22ａ）の右端に連続するフラップ22Ｂと後壁面部23の右端に連続するフラップ23Ｂをほぼ直角に折り曲げる。図15を参照して，開閉面部27の右端に連続するステー面部29を直角に折り曲げる。最後に，底面部21の右端に連続する右側壁面部25をほぼ直角に上方に向けて折り曲げ，右側壁面部25の内面の上方の両端部に設けられた糊部ｎ９，ｎ10によって右側壁面部25をフラップ22Ｂ，23Ｂと接着する。右がわ側方が閉じられる。
【００４２】
開口している左がわ側方から，収納物（図示略）が収納される（エンドロード）。先に閉じられた右側面が収納物のストッパの役割を果たす。収納物を入れた後，上述と同様にして左側面を組立てることで，収納物を収納した包装容器２が完成する（図９参照）。
【００４３】
図１６は包装容器２の右側面を右側壁面部25の一部を省略して示すもので，開閉面部27が回動するときのステー面部29の回動動作を示している。包装容器２の左側面に設けられるステー面部28がステー面部29と同じ動きをするのは言うまでもない。
【００４４】
開閉面部27が閉じられているとき（一点鎖線，図９参照），開閉面部27につながるステー面部29は，右側壁面部25と，フラップ22Ｂ，23Ｂとによって両がわから挟まれている。開閉面部27が閉じられているときにステー面部29は外から見えない。また，開閉面部27が閉じられているとき，ステー面部29の窪み部29ｂによって糊部ｎ９との干渉が防止される。
【００４５】
開閉面部27の先端につながる先端片30のつまみ部30ａを掴んで持ち上げると（実線，図１０参照），開閉面部27につながるステー面部29も開閉面部27とともに持ち上げられる。開閉面部27と後壁面部23との境界の折り目を中心軸にして，開閉面部27およびステー面部29は回動する。先端片30の内面に切取前壁面部22ｂが接着されているので，最初に開閉面部27を持ち上げるときに，切取線Ｋに沿って前壁面部22から切取前壁面部22ｂが切取られる。切取前壁面部22ｂは先端片30の内面に貼り付いたままである。前壁面部22から切取前壁面部22ｂが切取られることで，包装容器２が前壁面部22の一部が開口し，内容物を斜め上方から取り出しやすくなる（図１０参照）。
【００４６】
開閉面部27の回動を続けると，ステー面部29の先端のストッパ片29ａが，右側壁面部25とフラップ22Ｂとの接着に用いられた糊部ｎ10に当接し，ここでステー面部29の回動が止まる。ステー面部29につながる開閉面部27の回動もとまる。
【００４７】
一旦開けた開閉面部27を再び閉じるときには，開閉面部27につながる先端片30の先端のつまみ部30ａを残存前壁面部22ａの縁に掛けることによって，紙が持つ反発力によって開閉面部27の閉鎖状態が簡易に保持される。
【００４８】
包装容器２も，底面部21の左右端に連続する左右側壁面部24，25を最後に下がわ（底面がわ）から折ることで完成する。複雑な折り工程を経ることなくステー面部28，29をその両側から挟むことができるから，自動製函機を用いた製函に適している。また，包装容器２も紙が二重に重ね合わされている範囲が小さく，材料を節約することができる。
【００４９】
（第３実施例）
図１７は第３実施例の包装容器３のブランクの展開図である。図１８は開閉面部27を閉じた状態の包装容器３の斜視図を，図１９は開閉面部27を開けた状態の包装容器３の斜視図をそれぞれ示している。図９から図１６に示す包装容器２と同一部材には同一符号を付し，重複説明を避ける。
【００５０】
包装容器３は，前壁面部22および先端片30の構造が，上述した包装容器２と異なる。図１７を参照して，包装容器３の前壁面部22に切取線Ｋは形成されていず，これに代えて先端片30が備える差込み片34を差し込むための切込みＳが形成されている。また，包装容器３の先端片30は，開閉面部27に連続する連結片31，先端片30の左右方向に間隔をあけて形成された２本のミシン目Ｍによって挟まれる切取片32，および切取片32につながる接着片33がこの順番に連設されることで構成されている。接着片33に糊部ｎ11が設けられる。
【００５１】
図１８を参照して，接着片33に設けられた糊部ｎ11によって，先端片30は包装容器３の前壁面部22に接着される。２本のミシン目Ｍによって挟まれる切取片32の端を掴み，横向きに引っ張ることで切取片32が切り離される。開閉面部27およびこれにつながる連結片31を持ち上げることで，包装容器３の天面を覆っている開閉面部27が回動して包装容器３の天面が開口する。ステー面部28，29の先端のストッパ片28ａ，29ａが，左右側壁面部24，25とフラップ22Ａ，22Ｂとの接着に用いられた糊部ｎ８，ｎ10に当接し，ここでステー面部28，29の回動および開閉面部27の回動がとまるのは，包装容器２と同じである。
【００５２】
一旦開けた開閉面部27を再び閉じるときに，開閉面部27に連続する連結片31の先端の差込み片34を前壁面部22に形成された切込みＳに差し込むことによって，開閉面部27の閉鎖状態が簡易に保持される。
【符号の説明】
【００５３】
１，２，３  包装容器
11，21  底面部
12，22  前壁面部
13，23  後壁面部
14，24  左側壁面部
15，25  右側壁面部
16  天面部（接着面部）
17，27  開閉面部
12Ａ，12Ｂ，13Ａ，13Ｂ，16Ａ，16Ｂ，17Ａ，17Ｂ，22Ａ，22Ｂ，23Ａ，23Ｂ  フラップ
18，19，28，29  ステー面部
18ａ，19ａ，28ａ，29ａ  ストッパ片
30  先端片（接着面部）
ｎ１，ｎ２，ｎ３，ｎ４，ｎ５，ｎ６，ｎ７，ｎ８，ｎ９，ｎ10，ｎ11  糊部（接着部材）
Ｍ  折り目（ミシン目）
Ｋ  切取線
【図１】
2015020757.tif 000003
【図２】
2015020757.tif 000004
【図３】
2015020757.tif 000005
【図４】
2015020757.tif 000006
【図５】
2015020757.tif 000007
【図６】
2015020757.tif 000008
【図７】
2015020757.tif 000009
【図８】
2015020757.tif 000010
【図９】
2015020757.tif 000011
【図１０】
2015020757.tif 000012
【図１１】
2015020757.tif 000013
【図１２】
2015020757.tif 000014
【図１３】
2015020757.tif 000015
【図１４】
2015020757.tif 000016
【図１５】
2015020757.tif 000017
【図１６】
2015020757.tif 000018
【図１７】
2015020757.tif 000019
【図１８】
2015020757.tif 000020
【図１９】
2015020757.tif 000021